(57)【特許請求の範囲】
【請求項１】
カメラにおいて、
押圧操作可能な操作部材と、
カメラ内部に設けられた表示手段の表示をカメラ外部から見えるようにする、透光性を有する表示窓と、を有し、
前記操作部材の前記押圧操作による移動を案内するための操作部材ガイドを、前記表示窓をカメラ外装に固定するための表示窓固定部と一体として、カメラ外装に取り付けることができるよう構成し、
前記操作部材ガイドは、前記表示窓固定部からカメラ内部に向かって突出して形成され、前記操作部材との摺動によって前記操作部材を案内する開口を有し、
前記カメラ外装には独立した表示窓用開口と操作部材ガイド用開口とが設けられ、前記表示窓と前記操作部材ガイドは、前記表示窓用開口と前記操作部材ガイド用開口に夫々取り付けられ、
前記表示手段は照明手段を有し、
前記操作部材ガイドの少なくとも一部は前記操作部材開口の内周と前記操作部材との間に配置されている、
ことを特徴とするカメラにおける操作部材ガイドの取付構造。
【請求項２】
前記表示窓と前記表示窓固定部と前記操作部材ガイドとは、一体として形成されること、を特徴とする請求項１に記載のカメラにおける操作部材ガイドの取付構造。
【請求項３】
前記表示窓と前記表示窓固定部と前記操作部材ガイドとを一体として形成されたものは、透明な素材で形成されていること、を特徴とする請求項２に記載のカメラにおける操作部材ガイドの取付構造。
【請求項４】
前記表示手段は液晶表示ユニットであること、を特徴とする請求項１から３のいずれかに記載のカメラにおける操作部材ガイドの取付構造。
【請求項５】
前記外装は金属製であること、を特徴とする請求項１から４のいずれかに記載のカメラにおける操作部材ガイドの取付構造。
【請求項６】
前記固定部は板状部材に前記表示窓を突出形成したものであり、当該板状部材の表面の少なくとも一部が、前記カメラ外装に接着される接着面であること、を特徴とする請求項１から５のいずれかに記載のカメラにおける操作部材ガイドの取付構造。
【請求項７】
前記操作部材ガイドは、前記表示窓固定部からカメラ外側に向かって突出する環状部位を有すること、を特徴とする請求項１から６のいずれかに記載のカメラにおける操作部材ガイドの取付構造。
【請求項８】
前記操作部材は、カメラ外側寄りの部分の径がカメラ内側寄りの部分の径よりも小さい、段つき円筒形状に形成されており、
前記操作部材ガイドの開口は前記操作部材のカメラ内側寄りの部分と摺動し、且つ前記環状部位が前記操作部材のカメラ外側寄りの部分と摺動するよう構成されている、
ことを特徴とする請求項７に記載のカメラにおける操作部材ガイドの取付構造。
【発明の詳細な説明】
【０００１】
【発明の属する技術分野】
本発明は、金属製の外装を持つ金属外装カメラ等のカメラにおいて、撮影情報を表示するための表示窓と、撮影モード切換等を行う操作ボタン等の操作部材を移動案内するための操作部材ガイドをカメラ外装に取り付けるための構造に関するものである。
【０００２】
【従来の技術】
従来より、カメラの上部等には、撮影情報を表示するための表示窓、及び撮影モードの切換等のための操作部材が、互いに隣接して設けられている。表示窓には、選択された撮影モードあるいは各種設定値を示す記号が表示され、撮影者は表示窓を見ながら操作ボタンを操作することにより、撮影モードあるいは各種設定値の設定を行うことができる。
【０００３】
操作ボタン等の操作部材は、撮影者が押圧操作できるようにカメラの上面等から一部を突出して設けられている。カメラ外装には、操作部材を押圧操作により移動し得るように案内する操作部材ガイドが設けられている。例えば操作部材が円柱形状の操作ボタンである場合には、操作部材ガイドは、操作部材が嵌挿される孔を持つブロックとして構成される。
操作部材ガイドは一般に樹脂によって成形されるため、樹脂製の外装を持つカメラの場合には、操作部材ガイドをカメラ外装と一体成形することができる。
【０００４】
【発明が解決しようとする課題】
しかしながら、近年、カメラの質感を向上させるため、金属製の外装を持つカメラ（所謂金属外装カメラ）が増えている。このような金属外装カメラの場合には、樹脂製の操作部材ガイドをカメラ外装にビス止めして固定するのが一般的である。そのため、金属外装カメラに操作部材を取り付けるためには、操作部材ガイドにビス挿通用部位を設ける必要があり、その分、カメラ上部における占有スペースが増加するという問題点がある。
また、操作部材ガイドをカメラ外装に接着して固定する場合でも、接着用部位をその周囲等に設ける必要があり、やはり、カメラ上部等における占有スペースが増加するという問題点がある。
【０００５】
上記の事情に鑑み、本発明は、操作部材ガイドをカメラ外装に取り付けるためのビス挿通用部位又は接着用部位を必要としない、操作部材ガイドの取付構造を提供することを目的とするものである。
【０００６】
【課題を解決するための手段】
上記の課題を解決するため、本発明によるカメラにおける操作部材ガイドの取付構造は、操作部材の押圧操作による移動を案内するための操作部材ガイドを、表示窓をカメラ外装に固定するための表示窓固定部と一体として、カメラ外装に取り付けることができるよう構成したものである。このように構成することにより、操作部材ガイドをカメラ外装に取り付けるためのビス挿通用部位又は接着用部位が不要となり、カメラ上部等での占有スペースを減少させることができる。
【０００７】
上記の表示窓と表示窓固定部と操作部材ガイドとは、一体として形成することができる。さらに、これらを全て透明な部材で形成しても良い。また、表示手段に照明手段を設け、操作部材ガイドの少なくとも一部をカメラ外部に突出させ、照明手段からの光が操作部材ガイドの突出部分にまで達するよう構成することもできる。このように構成することによって、照明手段によって操作部材の周辺が照明されるため、暗いところでも操作部材の位置が分かる。なお、表示手段は液晶表示ユニットとすることができる。
【０００８】
なお、上記の外装は金属として構成することができる。また、上記の固定部を板状部材とし、当該板状部材の少なくとも一部をカメラ外装に接着される接着しろとして構成することができる。さらに、固定部は板状部材に表示窓を突出形成したものであり、当該板状部材の表面の少なくとも一部が、カメラ外装に接着される接着面となるよう構成しても良い。
【０００９】
【発明の実施の形態】
以下、本発明に係るカメラにおける操作部材ガイドの取付構造の実施形態について説明する。
図１は、本発明によるカメラにおける操作部材ガイドの取付構造の実施の形態を採用したカメラの一例を、カメラ裏蓋側から見た斜視図である。図１に示すように、カメラ１の上部には、撮影情報を表示するための表示窓３０と、撮影モードの切換や各種設定値の選択を行う操作ボタン５０（操作部材）が設けられている。表示窓３０には、選択された撮影モードあるいは各種設定値を示す記号が表示され、撮影者は表示窓３０を見ながら操作ボタン５０を押圧操作することにより、撮影モードあるいは各種設定値の設定を行うことができる。
【００１０】
図２及び図３は、カメラにおける操作部材ガイドの取付構造の実施形態を示す側面図及び平面図である。図２に示すように、表示窓３０は、カメラ外装２０に形成された第１の開口２１に設けられている。表示窓３０は透明アクリル製であり、表示窓３０を通して、カメラ１の内部に設けられた液晶表示ユニット４０（後述）の表示が見られるようになっている。
【００１１】
また、表示窓３０は、表示窓３０をカメラ外装２０に固定するための固定部３２（表示窓固定部）と一体に形成されている。固定部３２は、平面視で略正方形の板状部位として構成されており（図３）、その上部に略長方形の表示窓３０が突出形成されている。そして、図２に示すように、表示窓３０を第１の開口２１に嵌合させた状態で、固定部３２の上面をカメラ外装２０に接着することによって、表示窓３０はカメラ外装２０に固定される。
【００１２】
図２に示すように、固定部３２の裏蓋１１側には、操作ボタン５０を押圧操作によって移動し得るよう案内するための操作部材ガイド３３が形成されている。操作部材ガイド３３は、円形断面を持ち上下に延びる開口３３ｂと、開口３３ｂの周囲から上部に突出するよう形成された、リング形状を持つ環状部位３３ａとにより構成されている。なお、環状部位３３ａと開口３３ｂとは同軸上に位置しており、環状部位３３ａの内径が開口３３ｂの内径よりも小さくなるよう形成されている。
【００１３】
一方、カメラ外装２０の、操作部材ガイド３３の上方には、操作ボタン５０用の開口部である第２の開口２２が形成されており、環状部位３３ａの上端が第２の開口２２から僅かに突出している。
【００１４】
操作ボタン５０は上下２段の円筒状部位である上段及び下段円筒部位５１、５２により構成され、上段円筒部位５１の外径よりも下段円筒部位５２の外径が大きくなるよう形成されている。また、環状部位３３ａの内径は上段円筒部５１の外径よりも僅かに大きく形成され、開口３３ｂの内径は下段円筒部５２の外径よりも僅かに大きく形成されている。従って、上段円筒部５１を環状部位３３ａに挿入し、下段円筒部５２を開口３３ｂに挿入することにより、操作ボタン５０は操作部材ガイド３３にその外周を位置規制される。そして、上段円筒部５１と環状部位３３ａ、及び下段円筒部５２と開口３３ｂの摺動によって、操作ボタン５０は上下方向に案内される。
【００１５】
操作ボタン５０が操作部材ガイド３３から上方に抜けないよう、環状部位３３ａの内径は、操作ボタン５０の下段円筒部位５２の外径よりも小さく形成されている。即ち、環状部位３３ａが操作ボタン５０の抜け止め用のストッパーとなる。また、上段円筒部位５１は、下段円筒部位５１が環状部位３３ａの下面に当接した状態で、第２の開口２２よりも上方に所定量突出するように構成されている。
【００１６】
操作ボタン５０は、操作ボタン５０の下方に位置するゴムスイッチ５５（後述）によって支持されており、押圧されていない状態では、上段円筒部位５１が第２の開口２２から上方に突出している。そして、撮影者が、操作ボタン５０を下方に押圧することにより、ゴムスイッチ５５が弾性変形し、操作ボタン５０は操作部材ガイド３３に沿って下方に移動する。
【００１７】
次に、撮影情報を表示する表示手段である液晶表示ユニット４０について説明する。図１に一点鎖線で示す本体１０は、フィルムパトローネを収納するパトローネ収納部１３、フィルムを巻き取るフィルム巻取部１２、及び各種の駆動系を保持するものである。そして、図２に示すように、本体１０のフィルム巻取部１２の上部には、シャッター駆動等を行うための駆動機構１７が設けられ、駆動機構１７の上部には、液晶表示ユニット４０等を支持するためのベースプレート６０がビス止めにより固定されている。そして、ベースプレート６０には、液晶表示ユニット４０の駆動や、操作ボタン５０の押圧操作による撮影モードの切換等を行うための基板６１が設けられている。
【００１８】
ベースプレート６０の上に設けられている液晶表示ユニット４０は、発光部であるバックライト４１、半透過性の反射板４２、偏光板４３、２枚のガラス基板４４，４５を積層したものである。また、ガラス基板４４，４５の間には液晶材料が封入されている。このように積層された液晶表示ユニット４０は、ベースプレート６０から突設された一対の支持ブロック４６によって支持される。また、２枚のガラス基板４４、４５のうち、上方に位置するガラス基板４５の下面には、液晶表示用の透明電極が形成されており、この表示用電極と基板６１とを接続するために、ガラス基板４５の下面と基板６１との間には、導電性を持つゴム部材であるゴムコネクタ４７が配置されている。
【００１９】
一対の支持ブロック４６には、液晶表示ユニット４０をベースプレート６０に圧締し固定するための金属板４８が掛け渡されている。金属板４８により液晶表示ユニット４０全体をベースプレート６０に対し圧締することによって、ゴムコネクタ４７が圧縮され、ガラス基板４５の下面の表示用電極と基板６１とが確実に導通する。なお、金属板４８は、表示の邪魔にならないよう、ガラス基板４５の端部を保持するようになっている。
【００２０】
なお、カメラ１は、周囲が暗い場合にはバックライト４１を利用して表示を行い、周囲が明るい場合には表示窓３０からのカメラ１内に入射する外部光を利用して表示を行うよう構成されている。そのため、バックライト４１と偏光板４３との間には、バックライト４１からの光を透過させると共に、外部光を反射させる、半透過性の反射板４２が設けられている。
【００２１】
一方、操作ボタン５０の下方には、操作ボタン５０の押圧によって上下に移動するゴムスイッチ５５が設けられている。ゴムスイッチ５５は、ベースプレート６０に固定された外周部５６と、外周部５６から上方に突出形成された可動部５８とが一体に形成されたものである。外周部５６と可動部５７との間は、薄肉の連結部５８となっており、連結部５８の弾性変形によって、可動部５７が外周部５６に対して移動可能となっている。
【００２２】
また、可動部５７の上面は、操作ボタン５０の下面に当接し、操作ボタン５０を下方から支持している。そして、操作ボタン５０が押圧操作されると、薄肉部分である連結部５８が弾性変形して可動部５７が下方に移動し、可動部５７の下面が基板６１に接する。可動部５７の下面は導通可能な素材で形成されており、当該下面が基板６１の所定箇所に接することにより、基板６１上の所定箇所が導通し、撮影モードあるいは設定値の設定・変更が行われる。
【００２３】
このように、この実施形態による操作部材ガイドの取付構造によると、操作部材ガイド３３を、固定部３２と一体としてをカメラ外装２０に固定することによって、操作部材ガイド３３をカメラ外装２０にビス止めするためのビス挿通用部位、あるいは接着するため接着用部位が不要になり、その分だけ占有スペースが減少する。即ち、カメラのコンパクト化に資することができる。
【００２４】
ここで、表示窓３０と一体で構成された固定部３２は、透明アクリルで構成されているため、液晶表示ユニットのバックライト４１からの光が固定部３２の内部を通って操作部材ガイド３３の環状部位３３ａにまで達する。環状部位３３ａの上端はカメラ外部に突出しているため、バックライト４１からの光によって環状部位３３ａの上端、即ち操作ボタン５０の周囲が照明される。そのため、カメラを暗いところで操作する時でも、操作ボタン５０の位置がすぐに分かるという効果が得られる。
【００２５】
【発明の効果】
以上説明したように、本発明のカメラにおける操作部材ガイドの取付構造によると、 操作部材の押圧操作による移動を案内するための操作部材ガイドを、表示窓をカメラ外装に固定するための表示窓固定部と一体としてカメラ外装に取り付けることにより、操作部材ガイドをカメラ外装に取り付けるための部位あるいはこの部位のためのスペースが不要になるため、カメラのコンパクト化に資することができる。
また、表示窓と表示窓固定部と操作部材ガイドと透明な部材で一体形成することによって、表示手段によって操作ボタンの周囲が照明され、カメラを暗いところで操作する時でも操作ボタンの位置がすぐに分かるという効果が得られる。
【図面の簡単な説明】
【図１】カメラの一例を示す斜視図である。
【図２】本発明によるカメラにおける操作部材ガイドの取付構造の実施形態を示す側面図である。
【図３】図２の取付構造を示す平面図である。
【符号の説明】
１      カメラ
１０    本体
１２    フィルム巻き取り部
１３    パトローネ収納部
２０    カメラ外装
２１    第１の開口
２２    第２の開口
３０    表示窓
３２    固定部（表示窓固定部）
３３    操作部材ガイド
４０    液晶表示ユニット（表示手段）
５０    操作ボタン（操作部材）
６０    ベースプレート
６１    基板
【図１】
0003838450.tif 000002
【図２】
0003838450.tif 000003
【図３】
0003838450.tif 000004